(57)【要約】【課題】  実運用システムに模擬プラントデータを取り込んでプラント状況を把握する訓練を行なうことができるプラント防災訓練装置を提供する。【解決手段】プラント模擬装置２０及び１つまたは複数のプラント３０からのプロセスデータを受信するデータ受信部１１と、受信したプラントのデータを表示するデータ表示部１４と、プラント模擬装置２０からのデータの表示形式を設定する表示情報設定部１４ａとを備えた表示システム１０を有し、データ受信部１１がプラント模擬装置２０からのプラントの挙動を模擬する模擬プラントデータを独立した１つのプラントからのデータとみなして受信し、表示情報設定部１４ａがプラント模擬装置２０の模擬プラントデータをその表示形式を設定してデータ表示部１４に表示する。【選択図】図１
2008076711.tif 000002
【特許請求の範囲】
【請求項１】
１つまたは複数のプラントの挙動を模擬するプラント模擬装置と、プラント模擬装置からのプラント模擬データ及び１つまたは複数のプラントのプラント計算機からのプロセスデータを受信し表示する表示システムとを備え、前記表示システムは、前記プラント模擬装置からのプラントの挙動を模擬する模擬プラントデータを独立した１つのプラントからのデータとみなして受信するデータ受信部と、前記プラント模擬装置のデータ表示形式を設定する表示情報設定部と、受信したプラントのデータ及びプラント模擬データを前記データ表情報設定部で設定されたデータ表示形式で表示するデータ表示部とを備えたことを特徴とするプラント防災訓練装置。
【請求項２】
前記表示システムは、前記データ受信部が受信したプラントのプロセスデータを格納するプラントデータベースと、該プラントデータベースに格納されていたプロセスデータを退避させるデータ退避部と、退避させたプロセスデータを、元のプラントデータベースに復元するデータ復元部とを有し、前記データ受信部が受信した前記プラント模擬装置からのデータを模擬プラントデータであることを示すフラグを設定して前記プラントデータベースに蓄積し、該プラントデータベースに格納されていたプロセスデータを前記プラント模擬装置からのデータ受信中にデータ退避部に退避させ、訓練後に前記データベースから蓄積されたプラント模擬装置の模擬プラントデータを削除し、データ退避部に退避したプロセスデータを復元することを特徴とする請求項１に記載のプラント防災訓練装置。
【請求項３】
前記表示システムの模擬データ入力部は、前記プラント模擬装置からオフラインで入力した模擬プラントデータを読み込むことを特徴とする請求項１または２に記載のプラント防災訓練装置。
【請求項４】
前記プラント模擬装置は、生成した模擬プラントデータを、停止、巻き戻し、再生、記録する操作が可能な割り込み受信部を備え、該割り込み受信部に模擬プラントデータを、停止、巻き戻し、再生、記録を操作するための信号を送信する割り込み入力部を設けたことを特徴とする請求項１ないし３のいずれか１項に記載のプラント防災訓練装置。
【請求項５】
訓練により発生するイベントの発生時間を予測して入力する予測イベント入力部と、そのイベントの発生を監視し記録するイベント時刻記録部と、予測イベントと発生イベントを比較評価する予測時刻評価部とを備えることを特徴とする請求項１ないし４いずれか１項に記載のプラント防災訓練装置。
【請求項６】
防災訓練後のアンケート評価を支援するアンケート処理部を有することを特徴と請求項５に記載のプラント防災訓練装置。
【請求項７】
訓練を受ける者から訓練出題者へ報告・連絡・問い合わせ事項などの通知情報を処理する訓練者再生操作部と、訓練用のプラントデータを表示させながら必要なタイミングで前記訓練用のプラントデータと音声・映像データとを同期させて再生するプラントデータ・音声・映像データ再生装置とを備えたことを特徴とする請求項１または２記載のプラント防災訓練装置。  
【請求項８】
音声データを文字データへ変換しその文字データについてプラント情報を検索し、その検索結果を出力するプラントデータ・音声データ検索・検索結果映像同期装置と、文字データと映像データとを同期させる文字データ・映像同期装置とを備えたことを特徴とする請求項７に記載のプラント防災訓練装置。
【請求項９】
訓練者がガイド内容や質問を入力するガイド・質問入力装置と、ガイド内容や質問内容を表示するガイド・質問表示装置と、そのガイド結果・回答を訓練出題者が入力するガイド結果・回答編集装置と、自動でガイド情報データベースから類似した回答を検索して回答を作成するガイド・回答作成装置とを備えたガイド・質問情報管理装置を設けたことを特徴とする請求項１または２に記載のプラント防災訓練装置。
【発明の詳細な説明】
【技術分野】
【０００１】
本発明は、原子力防災訓練用のプラント挙動データを表示するプラント防災訓練装置に関する。
【背景技術】
【０００２】
近年、原子力防災に対する関心が高まり、電気事業者の訓練はもちろん、国が主催する防災訓練に、自治体、電気事業者、住民等が参加して行うものも実施されるようになってきた。訓練装置としては、データの作成、表示方法等の効率化を図り、また、データ値の信頼性を考慮して実践に近い訓練を行うようにしたものがある（例えば、特許文献１参照）。この訓練装置では、あらかじめ作成されたシナリオデータを用いて訓練する方法が取られている。
【特許文献１】特開２００４−３７８４７
【発明の開示】
【発明が解決しようとする課題】
【０００３】
しかし、特許文献１に示されるような訓練装置では、あらかじめ決められたシナリオデータを用いた訓練は基本的な行動を確認する訓練には向くが、その場の状況に応じた対応ができるかを確認し、意思決定を行なうための訓練には不向きである。
【０００４】
また、原子力施設に対しては、プラントの緊急時にプラントを監視するシステムが存在するが、実プラントデータへの影響を考えると、実運用システムに実プラントでないデータを表示させることに手間がかかるため、実運用システムを防災訓練で使用することが難しい。
【０００５】
そこで、本発明は、実運用システムに模擬プラントデータを取り込んでプラント状況を把握する訓練を行なうことができるプラント防災訓練装置を提供することを目的とする。
【課題を解決するための手段】
【０００６】
本発明のプラント防災訓練装置は、１つまたは複数のプラントの挙動を模擬するプラント模擬装置と、プラント模擬装置からのプラント模擬データ及び１つまたは複数のプラントのプラント計算機からのプロセスデータを受信し表示する表示システムとを備え、前記表示システムは、前記プラント模擬装置からのプラントの挙動を模擬する模擬プラントデータを独立した１つのプラントからのデータとみなして受信するデータ受信部と、前記プラント模擬装置のデータ表示形式を設定する表示情報設定部と、受信したプラントのデータ及びプラント模擬データを前記データ表情報設定部で設定されたデータ表示形式で表示するデータ表示部とを備えたことを特徴とする。
【発明の効果】
【０００７】
本発明のプラント防災訓練装置によれば、実運用システムに模擬プラントデータを取り込んでプラント状況を把握する訓練を行なうことができる。
【発明を実施するための最良の形態】
【０００８】
図１は、本発明の第１の実施の形態に係わるプラント防災訓練装置の構成図である。プラント防災訓練装置は、１つまたは複数のプラントの挙動を模擬するプラント模擬装置２０と、プラント模擬装置２０からのプラント模擬データ及び１つまたは複数のプラント３１ａ〜３１ｎのプラント計算機３０ａ〜３０ｎからのプロセスデータを受信し表示する表示システム１０とから構成される。表示システム１０はプラントの運転制御には直接関わらず、１つまたは複数のプラント３１ａ〜３１ｎのプロセスデータを各々のプラント計算機３０ａ〜３０ｎから受信しデータ表示を行なうシステムである。例えば、事業者の緊急時対策室、オフサイトセンターなどで緊急時のプラント状態把握に使用するシステムなどである。また、プラント模擬装置２０はプラントの挙動を模擬する機能を備えた装置で、例えばシミュレータなどを示す。
【０００９】
各プラント３０ａ〜３０ｎは、プラントプロセスデータの入出力を行なうプラント計算機３１ａ〜３１ｎを備えており、表示システム２０のデータ受信部１１は例えばｎ個の各プラント３０ａ〜３０ｎよりプロセスデータを受信し、プラント３０ａ〜３０ｎ毎に設けられたプラントデータベース１２ａ〜１２ｎに格納する。データ受信部１１は、複数プラント３０ａ〜３０ｎのデータを同時に受信することが可能である。また、データ受信部１１は、プラント模擬装置２０から受信したプラント模擬データをプラント模擬装置２０用のプラント模擬データベース１３に格納する。プラント模擬データベース１３と各プラント３０ａ〜３０ｎのプラントデータベース１２ａ〜１２ｎとは同等のものである。
【００１０】
データ表示部１４は複数のプラント３０ａ〜３０ｎのプラント計算機３１ａ〜３１ｎとの接続を切り替えて、いずれか１つのプラント３０ａ〜３０ｎのプラントデータを表示する。
【００１１】
表示情報設定部１４ａはプラント模擬装置２０からの模擬プラントデータをどのような形でデータ表示部１４に表示するかを設定するものであり、例えば、模擬プラントデータの「プラント表示名称」を指定する。プラント名称は実プラント３０ａ〜３０ｎの名称（プラント１〜ｎ）の名前を割り当ても良いし、「模擬プラントＡ」のように任意に名称を指定することも可能である。実プラントの名称を割り当てた場合には、どのプラント３０ａ〜３０ｎのプラント模擬データを表示していることがわかるよう画面上に表示を行なう。
【００１２】
また、プラント模擬装置２０がプラント模擬を行っているプラント名（プラント３１ａ〜３１ｎ）を表示上別の名前に変更したり、見えなくしたりすることも指定できるようにする。
【００１３】
以上述べたように第１の実施の形態によれば、プラント模擬装置２０を実プラント３０ａ〜３０ｎと横並びでひとつのプラントとして処理を行なうことにより、実プラント３０ａ〜３０ｎのデータに対する影響も無く、データを表示させることが可能である。
【００１４】
また、プラント模擬装置２０の模擬プラントデータを見かけ上、実プラント３０ａ〜３０ｎのデータとして見せることにより、より実践に近い訓練を行なうことが可能となる。
【００１５】
図２は、本発明の第２の実施の形態に係わるプラント防災訓練装置の構成図である。図１に示した第１の実施の形態に対し、データ受信部１１が受信したプラント模擬装置２０からのプラント模擬データに、模擬プラントデータであることを示すフラグを設定してプラントデータベース１２ｉに蓄積し、プラントデータベース１２ｉに格納されていたプロセスデータをプラント模擬装置２０からのプラント模擬データの受信中にデータ退避部１６によりデータ退避エリア１６ａに退避させ、訓練後にデータベース１２に蓄積されたプラント模擬装置２０の模擬プラントデータを削除し、データ復元部１７によりデータ退避エリア１６ａに退避したプロセスデータを復元するようにしたものである。図１に示した第１の実施の形態と同一要素には同一符号を付し重複する説明は省略する。
【００１６】
プラント模擬装置２０はプラント３０ａ〜３０ｎのいずれかを模擬したプラント模擬データを表示システム１０にデータ受信部１１に送信する。
【００１７】
データ受信部１１は、プラント模擬装置２０からのプラント模擬データに加え、各プラント３０ａ〜３０ｎのプラント計算機３１ａ〜３１ｎよりプロセスデータ（実プラントデータと呼ぶ）を受信し、プラント３０ａ〜３０ｎ毎に設けられたプラントデータベース１２ａ〜１２ｎに格納する。そして、模擬プラントデータを受け取る場合、模擬プラントデータに模擬プラントデータフラグを付加して、プラント３０ａ〜３０ｎのうちの、模擬しているプラント３０ｉのプラントデータベース１２ｉに格納する。模擬プラントデータが入力される実プラント３０ｉの実プラントデータはデータ退避部１６により、データ退避エリア１６ａに時系列に蓄積する。
【００１８】
データ表示部１４はプラントデータベース１２ａ〜１２ｎよりデータを読み出して表示する。模擬プラントデータの場合は模擬プラントデータフラグが付加されているので、模擬プラントデータである旨の表示をすることもできる。また、データ送信部１５は、下流側システム４０にプラントデータベース１２ａ〜１２ｎのデータを送信する。
【００１９】
プラント模擬装置２０からの模擬プラントデータの受信が停止した後、データ復元部１７はプラントデータベース１２ｉに格納されている模擬プラントデータを削除し、データ退避エリア１６ａに退避させていた実プラントデータをプラントデータベース１２ｉに復元する。また、データ送信部１５にも実プラントデータの復元完了を通知する。データ送信部１５は実データ復元完了を下流側システム４０に通知することにより、下流側システム４０で模擬プラントデータを削除したり、実プラントデータの再送を要求することも可能である。
【００２０】
以上述べたように第２の実施の形態によれば、プラント模擬装置２０の模擬プラントデータを実プラント３０ａ〜３０ｎのプラントデータベース１２ａ〜１２ｎを使用して処理することにより、実プラントデータと同様に処理できる。例えば、表示システム１０から下流側システム４０にデータを送信するような場合も、データ送信、受信側は特別なことを考えなくとも、実プラントデータと同じように処理することができ、一連のシステムを使用し連携した訓練が可能となる。
【００２１】
ここで、第１の実施の形態または第２の実施の形態おいて、プラント模擬装置２０とのオンラインでの伝送が実現困難な場合には、図３に示すように、プラント模擬装置２０で発生させたプラント模擬データ１８の時系列データをメディア媒体などを通じてオフラインで表示システム１０の模擬データ入力部１９に取り込み、取り込んだデータを模擬データ入力部１９により読み出してデータ受信部１１に渡すことも可能である。メディアではなく、時系列データを一括ファイル転送して伝送システムに読み込むようにしてもよい。
【００２２】
この場合には、プラント模擬装置２０とのオンラインでの伝送が実現困難な環境であっても、プラント模擬装置２０のデータを使用した訓練を実施することが可能となる。
【００２３】
図４は、本発明の第３の実施の形態に係わるプラント防災訓練装置の構成図である。この第３の実施の形態は、図１に示した第１の実施の形態または図２に示した第２の実施の形態に対し、割り込み入力部２１を追加して設けると共に、プラント模擬装置２０に割り込み入力部２１からの指令に基づき動作する割り込み送信部２２を追加して設けたものである。図１または図２と同一要素には同一符号を付し重複する説明は省略する。
【００２４】
割り込み入力部２１は、訓練者（訓練を受ける者）によって訓練データの、停止、巻き戻し、再生、操作が実行された場合、プラント模擬装置２０に対して訓練データの、停止、巻き戻し、再生信号を送信するものである。訓練データの、停止、巻き戻し、再生信号を受信したプラント模擬装置２０内の割り込み受信部２２は、現在発生している訓練データを停止、巻き戻し、再生を行う。
【００２５】
例えば、停止、巻き戻し、再生を実施する場合は割り込み信号データを図５のような構成で割り込み入力部２１からプラント模擬装置２０の割り込み受信部２２に対して送信する。割り込み信号データは、停止、巻き戻し、再生を示す操作指令Ａと、訓練データステップ番号Ｂとからなり、例えば、停止の場合は、割り込み信号データ「Ａ＝１」を送信する。巻き戻しの場合は割り込み信号データ「Ａ＝２」とＢ＝巻き戻したい訓練データのステップ番号を送信する。再生の場合は割り込み信号データ「Ａ＝３」を送信する。
【００２６】
一方、上記、図５の割り込み信号データを受信したプラント模擬装置２０内の割り込み受信部２２は、割り込み信号データの操作指令Ａ及び訓練データステップ番号Ｂの内容に従い（停止、巻き戻し、再生）などの動作を行い、指定されたステップ番号の訓練データの再生などを行う。
【００２７】
また、割り込み入力部２１は訓練者の記録操作により訓練データの操作記録（訓練者がどういう操作をしたかを記録）を行うことができる。この操作記録は、あとから、同じ訓練を繰り返し行う場合などに利用することができる。
【００２８】
第３の実施の形態によれば、防災訓練を受ける人がシミュレータの操作を熟知していなくても本来の防災訓練の自己学習のためにプラント事象を容易に再現する防災訓練を、本装置の機能を使用することにより実施可能となる。
【００２９】
図６は、本発明の第４の実施の形態に係わるプラン防災訓練装置の構成図である。この第４の実施の形態は、図１に示した第１の実施の形態または図２に示した第２の実施の形態に対し、予測イベント入力部５１、イベント時刻記憶部５２，予測時間評価部５３、アンケート処理部６０とを追加して設けたものである。図１に示した第１の実施の形態または図２に示した第２の実施の形態と同一要素には同一符号を付し重複する説明は省略する。
【００３０】
図６に示す予測イベント入力部５１は、あらかじめ定義された複数のイベントを記憶しており、それらの中からイベントを選択し、これから発生するであろうプラントのイベント事象に関連するパラメータの到達値と予想発生時間を入力し、イベント時刻記録部５２へ通知する。イベント時刻記録部５２は通知されたイベントの発生を監視し記録する。予測時刻評価部５３は、イベント時刻記録部５２に入力された予想発生時刻と、イベント時刻記録部５２で記録されたイベント発生時刻とを比較評価し評価結果を表示システム１０に表示し、さらに防災訓練後の評価を補助・支援するアンケート処理部６０を有する。
【００３１】
図７はイベント発生の予測時刻を入力する画面の例を示す予測時刻入力図である。図７の左側にはあらかじめ定義されたイベントの項目一覧を表示しそれぞれの項目について発生すると判断した場合には、その項目の右横のチェックボックスをチェックし、発生予測時刻を入力し、保存する。
【００３２】
例えば、プラント模擬装置２０において放射能放出になりうる事故・故障をシミュレートする場合、防災訓練者は表示システム１０に表示されている事象シミュレート状況を判断してイベント時刻記録部５２に登録されている水位低下、放射能放出等の発生イベントの中から、今後、発生するであろうイベント（例えば、放射能放出）を選択し、その項目の右横のチェックボックスをチェックし、そのイベント発生予測時刻を入力する。イベント時刻記録部５２には、登録されている発生イベントに対して、イベントを判定するパラメータと発生を判定する閾値がそれぞれ登録されている。
【００３３】
イベント項目が入力されると、イベント時刻記録部５２は、入力されたイベント項目（放射能放出）がプラント模擬装置２０で発生するのを監視し、発生した時刻を記録する。その後、予測時刻評価部５３は、予測イベント入力部５１で入力されたイベント（放射能放出）とイベント時刻記録部５２で記録された発生イベント（放射能放出）の予測時間と発生時間を比較評価し、アンケート処理部６０で評価結果（時間差）を出して表示システム１０に表示する。
【００３４】
また、図８に示す予測結果の表示項目の例は、予測イベント項目、予測時刻、発生時刻、予測時間と発生時間の大小関係を示す予測結果、時間差等である。この結果を表示する図によって、今回の防災訓練を判定することが可能となる。
【００３５】
例えば、判定基準を登録したデータベースを用いて予測時間と発生時間の誤差が１０％以内であれば判定  ランクＡとするということも可能である。
【００３６】
図９に示すように、アンケート処理部６０は、防災訓練結果後のアンケートを基本フォーマットから作成するアンケート作成機能部６１と、今回実施した訓練内容に関連する項目を追加するアンケート出題機能部６２と、回収したアンケートを分析するアンケート集計分析機能部６３と、回収したアンケートをキーワード検索するアンケート検索機能部６４と、シミュレータでの訓練評価とアンケート結果をまとめるアンケート評価機能部６５とから構成される。
【００３７】
例えば、防災訓練後の実施結果のアンケートを取る場合、アンケート作成機能部６１により所定のフォーマットでアンケートが作成され、アンケート出題機能部６２により今回実施した訓練内容に関係するアンケート内容が付加される。
【００３８】
その後、回収されたアンケートは、アンケート集計分析機能部６３により自動集計及びグラフ化される。また回収されたアンケートは、アンケート検索機能部６４を使用してキーワードにより検索することも可能である。
【００３９】
さらにシミュレータでの予測時刻評価結果を、アンケート評価機能部６５に取り込むことにより、シミュレータでの発生時刻、訓練者の予測時刻、アンケート結果に基づく実施時刻等を容易に比較表示することができる。
【００４０】
例えば放射能放出の事故を模擬した場合、プラント模擬装置２０での発生時間と訓練担当者が入力した予測時間と、アンケートにて回収した実際の住民避難時間を一つの表にまとめて表示することにより、この地区においては事故発生からどのくらいで避難勧告を発令する必要がある等の評価することが可能となる。
【００４１】
このように、第４の実施の形態によれば、防災訓練担当者はプラントの挙動を把握、進展を予測し、自分のプラント挙動に対する理解が正しかったかどうかを確認することができる。また、訓練を重ねることにより、プラント挙動に対する理解が向上し、実際の防災指示における的確な指示（いつまでに何をしなければならないか、どんな指示、行動をとるべきか）を行なうことができるようになる。
【００４２】
図１０は、本発明の第５の実施の形態に係わるプラン防災訓練装置の構成図である。この第５の実施の形態は、図１に示した第１の実施の形態または図２に示した第２の実施の形態に対し、音声・映像データ蓄積装置７０とプラントデータ・音声・映像データ再生装置７６と、訓練管理データベース７３と、音声・映像蓄積データベース７４、プラント蓄積データベース７９とを追加して設けたものである。図１に示した第１の実施の形態と同一要素には同一符号を付し重複する説明は省略する。
【００４３】
図１１は音声・映像データ蓄積装置７０の構成図である。音声・映像データ蓄積装置７０は、訓練出題者側表示部７１と訓練者側操作部７２とを有する。訓練出題者側表示部７１には、訓練出題者から送られてくるプラントデータを表示するプラントデータ表示部７１ａと訓練出題者の映像表示部７１ｂとがある。訓練者側操作部７２は、訓練者が訓練出題者側へ通知する出題者への通知部７２ａと各データベースを設定更新する管理設定手段７２ｂとを有する。
【００４４】
訓練者は、リアルタイムに訓練出題者から送られ、プラントデータ表示部７１ａに表示される訓練用のプラントデータを見て、訓練出題者の映像表示部７１ｂに表示されている訓練出題者を事故発生時にコミュニケーションをとる相手、例えば、プラントの事業者や防災対策拠点に集まった人々等、に見立てそれぞれの相手に対する会話をする。この会話は記録することができる。訓練出題者が送る訓練用のプラントデータは、訓練出題者が入力してもよく、プラント模擬装置２０からの模擬プラントデータを使用してもよい。なお、訓練用のプラントデータは、ここでは表示するだけで、記録はしなくてもよいが、記録することを排除するものではない。
【００４５】
訓練管理データベース７３には、図１２に示すように、出題者の情報と訓練者の情報とが記憶されており、訓練者が、訓練管理データベース７３に登録されているＩＤで音声・映像データ蓄積装置７０にログインすることで訓練者は特定される。ログインしたら、訓練者は、訓練出題者に対して問い合わせ・連絡・プラント状態の報告事項等の通知処理が発生した場合、訓練出題者側表示部７１を確認しながら訓練出題者の役割、例えばプラント事業者、防災拠点の人々が訓練者側操作部７２から訓練出題者へ通知する。この通知は、出題者への通知部７２ａ（ボタン）により行われ、時系列に音声データと映像データ等を付けた情報として訓練出題者側に送られる。送られた内容は、時刻／サイト（訓練プラントの発電所）／ユニット／出題者／訓練者／フラグ／データ部から構成される情報として、図１３に示すような形式の音声・映像蓄積データベース７４に記録される。
【００４６】
訓練出題者の情報や訓練者の情報は、サイト・ユニット・グループ・フラグ・ＩＤ・氏名から構成されている情報として訓練管理データベース７３に記録される。管理設定手段７２ｂ（ボタン）より訓練出題者や訓練者に関する情報を更新できる。また管理設定手段７２ｂ（ボタン）から音声・映像蓄積データベース７４のインポートやエクスポートなどのデータベース更新もできる。
【００４７】
図１４は、プラント・音声・映像データ再生装置７６の構成図である。プラント・音声・映像データ再生装置７６は、プラントデータ再生表示部７７ａと映像再生表示部７７ｂと音声再生部７７ｃとからなる出題者情報再生表示部７７と、再生指定手段７８ａと再生中止手段７８ｂをもつ訓練者再生操作部７８からなる。
【００４８】
訓練者は、時刻・サイト・ユニットあるいは出題者、訓練者を指定して再生したり、プラントデータを表示しながら表示画面をクリック指定して再生する。再生処理は、上記指定イベントから音声・映像蓄積データベース７４から検索し音声・映像データを再生し、図１５に示すように、同時にプラント蓄積データベース７９から時刻をキーにして音声・映像データに同期させてプラントデータを再生する。すなわち、プラントデータを表示しながら再生したい部分をクリック指定して再生する。
【００４９】
図１６は、本発明の第６の実施の形態に係わるプラント防災訓練装置の構成図である。この第６の実施の形態は、図１０に示した本発明の第５の実施の形態に対し、プラントデータ・音声データ検索・検索結果映像同期装置８０と、検索結果データベース８４と、文字データ・映像同期装置８５と、表示装置８５ａとを追加して設けたものである。図１０に示した第５の実施の形態と同一要素には同一符号を付し重複する説明は省略する。
【００５０】
図１７は、プラントデータ・音声データ検索・検索結果映像同期装置８０の構成図である。プラントデータ・音声データ検索・検索結果映像同期装置８０は、検索部８１と、音声変換データ処理部８２とを有する。検索部８１では、時刻指定とキーワード指定とプラントデータ指定を検索条件として、音声・映像データ蓄積装置７０で記録された音声・映像蓄積データベース７４から、フラグ(音声・映像)を判定して、検索条件に合った音声データのみを検索する。検索された音声データは、音声変換データ処理部８２で文字データに変換される。音声変換データ処理部８２による処理がされると、音声変換文字データベース８３に保存する。
【００５１】
音声を文字データに変換する音声変換データ処理部８２を設けることで音声データを文字データに置き換え、音声変換文字データベース８３に記録するので、文字列などのキーワード指定による検索も可能となる。
【００５２】
訓練者は、検索時に、時刻指定／キーワード指定／プラントデータの指定ができ、それぞれＡＮＤ条件やＯＲ条件をつけて検索することができる。検索条件に時刻指定をすることでプラント蓄積データベース７９の時刻キーからプラントデータを検索し、音声変換文字データベース８３より文字データ検索することができる。同じようにキーワード指定することで必要な文字データを検索することができる。また、プラントデータ指定することで、プラントデータを中心に検索でき、検索したいＩ／Ｏデータを指定したり、プラント値の上下限値を検索条件に入れて検索することができる。検索結果は、検索結果データベース８４に保存する。検索結果データベース８４は、検索結果を必要に応じてリスト表示したり、ハードコピーとして印刷することができる。
【００５３】
また、検索結果として出力されたデータは、文字データ映像同期装置８５で時刻をキーにして、文字データと映像を同期させて映像再生することができ、その再生映像は表示装置８５ａに表示される。
【００５４】
以上述べたように第６の実施の形態によれば、防災訓練中の訓練者が訓練出題者を訓練者のコミュニケーション相手と見立てて会話した内容を記録し、訓練出題者へのプラント状態の問い合わせ事項・質問事項・連絡事項等の交互情報をデータベース化することで、プラント状況を表示確認しながらプラントデータと同期させて再生することができることで、防災訓練後に訓練者の行動がプラント状態に対して適切であったか、適切なタイミングでコミュニケーションできていたか、評価できるようなデータ提供ができる。また、会話の相手を特定して会話を記録していることで、誰に対する会話なのかが明確になる。
【００５５】
さらに、プラントデータや音声データから時刻指定、キーワード指定、プラントデータ指定で検索することで防災訓練後の評価データのバックデータを提供することができる。
【００５６】
図１８は、本発明の第７の実施の形態に係わるプラント防災訓練装置の構成図である。この第７の実施の形態は、図１に示した第１の実施の形態または図２に示した第２の実施の形態に対し、ガイド・質問情報管理装置９０を追加して設けたものである。
【００５７】
図１８において、ガイド・質問情報管理装置９０にあるガイド・質問入力装置９３は、訓練者が、プラント蓄積データベース７９より訓練用のプラントデータを再生するプラントデータ再生部９２のデータ表示をみながら、ガイド内容や質問事項を入力するものである。たとえば、ガイド情報であれば、「プラント状態がＸＸＸなので、ＸＸＸしてください」といった情報や、質問であれば、「プラント状態がＸＸＸですが、どうすればよろしいですか？」といった情報を入力し、ガイド・質問・回答表示装置９４に表示する。上記のガイド・質問情報はガイド・質問情報データベース９５に使用するたびに保存させる。質問情報に対する回答は、ガイド結果・回答作成装置９６により、保存されているガイド・質問情報データベース９５と過去の回答結果情報を保存している回答情報データベース９７から回答を作成し、ガイド・質問・回答表示装置９４に回答表示する。ガイド・質問情報データベース９５と、回答情報データベース９７はガイド結果・回答編集装置９８により、ガイド情報や回答情報を追加・削除・修正することができる。
【００５８】
以上述べたように第７の実施の形態によれば、防災訓練中の訓練者が、プラント状況を把握しながらタイムリーにガイド情報を入手したり、質問事項があれば、助言をうけることができる。これによりプラント状況に即したスムースな訓練の環境を提供することができる。
【図面の簡単な説明】
【００５９】
【図１】本発明の第１の実施の形態に係わるプラント防災訓練装置の構成図。
【図２】本発明の第２の実施の形態に係わるプラント防災訓練装置の構成図。
【図３】本発明の第２の実施の形態に係わるプラント防災訓練装置の他の一例の構成図。
【図４】本発明の第３の実施の形態に係わるプラント防災訓練装置の構成図。
【図５】本発明の第３の実施の形態における割り込み信号データの構成図。
【図６】本発明の第４の実施の形態に係わるプラン防災訓練装置の構成図。
【図７】本発明の第４の実施の形態におけるイベント発生予測時刻入力画面の説明図。
【図８】本発明の第４の実施の形態における予測結果表示画面の説明図。
【図９】本発明の第４の実施の形態におけるアンケート処理部の構成図。
【図１０】本発明の第５の実施の形態に係わるプラン防災訓練装置の構成図。
【図１１】本発明の第５の実施の形態における音声・映像データ蓄積装置の構成図。
【図１２】本発明の第５の実施の形態における訓練管理データベースの説明図。
【図１３】本発明の第５の実施の形態における音声・映像蓄積データベースの説明図。
【図１４】本発明の第５の実施の形態におけるプラントデータ・音声・映像データ再生装置の構成図。
【図１５】本発明の第５の実施の形態における音声データと同期させて表示したプラントデータの特性図。
【図１６】本発明の第６の実施の形態に係わるプラント防災訓練装置の構成図。
【図１７】本発明の第６の実施の形態におけるプラントデータ・音声検索・検索結果映像同期装置の構成図。
【図１８】本発明の第７の実施の形態に係わるプラント防災訓練装置の構成図。
【符号の説明】
【００６０】
１０…表示システム、１１…データ受信部、１２…プラントデータベース、１３…データベース、１４…データ表示部、１４ａ…表示情報設定部、１５…データ送信部、１６…データ退避部、１６ａ…データ退避エリア、１７…データ復元部、１８…模擬プラントデータ格納部、１９…模擬プラントデータ入力部、２０…プラント模擬装置、２１…割り込み入力部、２２…割り込み受信部、３０…プラント、３１…プラント計算機、４０…下流側システム、５１…予測イベント入力部、５２…イベント時刻記録部、５３…予測時刻評価部、６０…アンケート処理部、６１…アンケート作成機能部、６２…アンケート出題機能部、６３…アンケート集計分析機能部、６４…アンケート検索機能部、６５…アンケート評価機能部、７０…音声・映像データ蓄積装置、７１ａ…プラントデータ表示部、７１ｂ…訓練出題者の映像表示部、７１…訓練出題者側表示部、７２ｂ…管理設定手段、７２…訓練者側操作部、７２ａ…出題者への通知部、７３…訓練管理データベース、７４…音声・映像蓄積データベース、７６…プラントデータ・音声・映像データ再生装置、７７ａ…プラントデータ再生表示部、７７ｂ…映像再生表示部、７７ｃ…音声再生部、７７…出題者情報再生表示部、７８…訓練者再生操作部、７８ａ…再生指定手段、７８ｂ…再生中止手段、７９…プラント蓄積データベース、８０…プラントデータ・音声データ検索・検索結果映像同期装置、８１…検索部、８２…音声変換データ処理部、８３…音声変換文字データベース、８４…検索結果データベース、８５…文字データ映像同期装置、９０…ガイド・質問情報管理装置、９２…プラントデータ再生部、９３…ガイド・質問入力装置、９４…ガイド・質問・回答表示装置、９５…ガイド・質問情報データベース、９６…ガイド結果・回答作成装置、９７…回答情報データベース、９８…ガイド結果・回答編集装置
【図１】
2008076711.tif 000003
【図２】
2008076711.tif 000004
【図３】
2008076711.tif 000005
【図４】
2008076711.tif 000006
【図５】
2008076711.tif 000007
【図６】
2008076711.tif 000008
【図７】
2008076711.tif 000009
【図８】
2008076711.tif 000010
【図９】
2008076711.tif 000011
【図１０】
2008076711.tif 000012
【図１１】
2008076711.tif 000013
【図１２】
2008076711.tif 000014
【図１３】
2008076711.tif 000015
【図１４】
2008076711.tif 000016
【図１５】
2008076711.tif 000017
【図１６】
2008076711.tif 000018
【図１７】
2008076711.tif 000019
【図１８】
2008076711.tif 000020